(57)【特許請求の範囲】
【請求項１】
隣接配置された２つの屋根パネル間の接合部の防水構造であって、
前記各屋根パネルには、野地板上に防水シートが貼り付けられ、前記各防水シート上には、その端縁を残して予め屋根材が貼り付けられ、一方の屋根パネルの上面に貼り付けられた防水シートは、隣接する他方の屋根パネル側に延出されて、他方の屋根パネルの前記野地板上まで掛け渡されているとともに、他方の屋根パネルの上面に貼り付けられた防水シートは、前記一方の屋根パネル側に延出されて、一方の屋根パネル上の防水シートまで掛け渡され、その防水シート上に重ね合わされて密着され、その防水シートの密着部分の上面には屋根材が貼り付けられ、前記一方の屋根パネルの上面に貼り付けられた防水シートの屋根材から延出された延出部分には、その下面に耐熱性のカバー材が貼られていることを特徴とする屋根パネル接合部の防水構造。
【請求項２】
請求項１に記載の屋根パネル接合部の防水構造において、前記屋根パネル間の接合部における防水シートの下側には、耐熱性の板材が設けられていることを特徴とする屋根パネル接合部の防水構造。
【請求項３】
請求項１に記載の屋根パネル接合部の防水構造において、前記屋根パネル間の接合部における防水シートの下側には、耐熱性の樹脂材が設けられていることを特徴とする屋根パネル接合部の防水構造。
【請求項４】
請求項１〜３のいずれかに記載の屋根パネル接合部の防水構造において、前記防水シートは、改質アスファルト材で構成されていることを特徴とする屋根パネル接合部の防水構造。
【請求項５】
請求項１〜４のいずれかに記載の屋根パネル接合部の防水構造において、前記防水シートの重ね合わせ部分の幅方向の中心位置は、前記屋根パネル接合部の幅方向の中心位置に重なっていることを特徴とする屋根パネル接合部の防水構造。
【発明の詳細な説明】
【０００１】
【発明の属する技術分野】
本発明は、屋根パネル接合部の防水構造に関する。
【０００２】
【背景技術】
建物の屋根として、現場作業を軽減するために、工場生産された複数の屋根パネルを並設することで形成されるパネル式の屋根が知られている。
この屋根パネルは、通常、鋼材等を組み合わせた下地フレームと、この下地フレーム上に取り付けられる野地板と、野地板上に貼られる防水シートと、防水シート上に取り付けられる屋根材とで形成される。
【０００３】
このように形成された屋根パネルは、建築現場では、建て込み寸法誤差や施工寸法誤差を吸収するため、隣接する他の屋根パネルとの間の接合部に隙間を設けて並設されていた。
このため、前記各屋根パネル間の接合部には、各屋根パネルに跨って防水テープを貼り付けて隙間を塞いで防水処理が行われていた。この際、防水テープを防水シート上に貼り付けるため、屋根パネル上の屋根材は、接合部に沿った端縁部分の防水シートが露出するように、端縁部分を残して取り付けられていた。
【０００４】
そして、各屋根パネル端部に露出した防水シートと、防水テープとの密着面から屋根パネル接合部への雨水等の侵入を防ぐため（防水テープと防水シートとの密着面の防水性能を確保するため）に、前記各防水シートと、防水テープとのそれぞれの密着面の幅寸法、つまり、防水シートの露出幅寸法は、所定幅寸法以上、例えば約５０ｃｍ以上確保する必要があった。このため、各防水シートに跨って配置される防水テープは、少なくとも約１ｍ程度の幅寸法を有するものを用いる必要があった。
【０００５】
【発明が解決しようとする課題】
しかしながら、工場で屋根材を取り付ける際、その屋根材が予め貼られずに防水シートが露出する部分を所定幅寸法（約５０ｃｍ）以上確保すると、その分だけ屋根材の取り付け面積が少なくなってしまい、取り付けられなかった屋根材は現場で取り付けなければならず、現場作業を軽減することができないという問題があった。
また、屋根パネル接合部への雨水等の侵入を防ぐために用いていた防水テープは、屋根パネルとは別に輸送や設置しなければならないため、現場作業が煩雑になるという問題もあった。
【０００６】
本発明の目的は、屋根パネル接合部での現場作業を軽減し、作業効率を向上できる屋根パネル接合部の防水構造を提供することにある。
【０００７】
【課題を解決するための手段】
本発明の第一の発明は図面を参照して説明すると、隣接配置された２つの屋根パネル２０Ａ、２０Ｂ間の接合部３０の防水構造であって、前記各屋根パネル２０Ａ、２０Ｂには、野地板２２Ａ，２２Ｂ上に防水シート２３Ａ，２３Ｂが貼り付けられ、前記各防水シート２３Ａ，２３Ｂ上には、その端縁を残して予め屋根材２４Ａ，２４Ｂが貼り付けられ、一方の屋根パネル２０Ａの上面に貼り付けられた防水シート２３Ａは、隣接する他方の屋根パネル２０Ｂ側に延出されて、他方の屋根パネル２０Ｂの野地板上まで掛け渡されているとともに、他方の屋根パネル２０Ｂの上面に貼り付けられた防水シート２３Ｂは、前記一方の屋根パネル２０Ａ側に延出されて、一方の屋根パネル２０Ａ上の防水シート２３Ａまで掛け渡され、その防水シート２３Ａ上に重ね合わされて密着され、その防水シート２３Ａ、２３Ｂの密着部分の上面には屋根材２４が貼り付けられ、前記一方の屋根パネル２０Ａの上面に貼り付けられた防水シート２３Ａの屋根材２４Ａから延出された延出部分２３Ａ’には、その下面に耐熱性のカバー材４１が貼られていることを特徴とする。
【０００８】
このように、一方の防水シート２３Ａ上に他方の防水シート２３Ｂを直接重ね合わせて密着することによって、防水シート２３と防水テープとの密着面を二箇所設ける必要がなくなり、屋根パネル接合部３０における防水部材（防水シート２３）の密着部分を一箇所にすることができる。
防水部材の密着部分の幅寸法は、防水性能を確保するために、所定の幅寸法が必要なため、密着部分が一箇所であれば、密着部分が二箇所の場合に比べて密着部分の幅寸法を半分にできるとともに、従来と同様の防水性能が得られる。これにより、工場で屋根材２４を屋根パネル２０に取り付ける際の屋根材２４の取り付け面積を増やすことができ、その分現場作業を軽減することができる。
【０００９】
さらに、各防水シート２３Ａ、２３Ｂを直接重ね合わせているので、従来のような防水テープを用いる必要がない。このため、防水テープを別途輸送、設置する必要がなく、屋根パネル接合部３０での現場作業を軽減でき、作業効率を向上できる。
【００１０】
また、前記一方の屋根パネル２０Ａの上面に貼り付けられた防水シート２３Ａの屋根材２４Ａから延出された延出部分２３Ａ’には、その下面に耐熱性のカバー材４１が貼られている。
このように、防水シート２３Ａの下面に耐熱性のカバー材４１が貼られていれば、防水シート２３Ａを屋根パネル接合部３０に貼り付けることによって、野地板２２Ａ、２２Ｂに跨って耐熱性のカバー材４１が貼り付けられるので、防水シート２３Ａの垂れや落下を防止することができる。その上、カバー材４１は、防水シート２３Ａの延出部分２３Ａ’の下面に予め貼り付けられているので、現場でカバー材４１を別途貼り付ける必要がなく、その分現場作業を容易にすることができる。
【００１１】
さらに、前記屋根パネル２０Ａ、２０Ｂ間の接合部３０における防水シート２３の下側には、耐熱性の支持材が設けられていてもよい。支持材としては、例えば、Ｌ字形の板材４２や角状の樹脂材４３が用いられる。
このように、耐熱性の支持材を用いることによって、屋根パネル接合部３０の上面に位置する防水シート２３の垂れや落下を防止することができる。
ここで、屋根パネル２０Ａ、２０Ｂ間の接合部３０に設けられる耐熱性の板材４２は、例えば、隣接する屋根パネル２０Ａ、２０Ｂの野地板２２Ａ、２２Ｂ上面まで掛け渡されたり、隣接する屋根パネル２０Ａ、２０Ｂの端面まで突出されることで、屋根パネル接合部３０を完全に塞いでもよいし、隣接する屋根パネル２０Ａ、２０Ｂの端面近くまで突出されて、屋根パネル接合部３０を完全に塞がないものでもよい。要するに、屋根パネル接合部３０の上面に配置される防水シート２３を支えることができ、防水シート２３の垂れや落下等を防止できればよい。
また、耐熱性の樹脂材４３を用いれば、屋根パネル接合部３０の上面に位置する防水シート２３の垂れや落下を防止することに加えて、断熱性能や防音性能を向上することができる。
【００１２】
さらに、前記防水シート２３は、改質アスファルト材で構成されていることが望ましい。ここで、例えば、改質アスファルト材からなる防水シート２３は、通常、粘着性を備えて剥離紙５０が貼られており、屋根パネル２０Ａの野地板２２Ａ等に貼り付ける際に、剥離紙５０を剥がして貼られている。
このように、防水シート２３として、粘着性を備えるとともに、剥離紙５０が貼られた改質アスファルト材を用いているので、防水シート２３を野地板２２等に貼り付ける際に剥離紙５０を剥がすだけでよく、粘着材をシートに塗布しながら貼り付ける必要がないので防水シート２３の貼付作業を容易に行うことができる。
【００１３】
前記防水シート２３Ａ、２３Ｂの重ね合わせ部分の幅方向の中心位置は、前記屋根パネル接合部３０の幅方向の中心位置に重なっていることが好ましい。
ここで、防水シート２３Ａ、２３Ｂの重ね合わせ部分の幅方向とは、屋根パネル接合部３０に面する屋根パネル２０の端面に直交する方向（水勾配に直交する水平方向）である。
このように、防水シート２３Ａ、２３Ｂの重ね合わせ部分の幅方向の中心位置が、前記屋根パネル接合部３０の中心位置に重なっていれば、隣接する各屋根パネル２０Ａ、２０Ｂ端部の野地板２２Ａ、２２Ｂの屋根材２４Ａ、２４Ｂが貼られていない露出部分の幅寸法Ｌ１、Ｌ２を等しくできるので、各屋根パネル２０Ａ、２０Ｂを同じ構造で製造することができ、その製造作業を容易にすることができるとともに、屋根パネル２０の設置時にその向き等を考慮する必要がないため、現場作業を容易にすることができる。
【００２０】
【発明の実施の形態】
以下に本発明の実施の形態を図面に基づいて説明する。
図１には、本発明の第１実施形態を適用したユニット式建物１が示されている。前記ユニット式建物１は、建物本体２とその上部に設けられる屋根３とを含んで形成されている。
【００２１】
建物本体２は、直方体状の建物ユニット１０を複数個組み合わせることによって形成されている。
【００２２】
屋根３は、複数の屋根パネル２０を建物ユニット１０上に立設した束柱４等の上に並設して形成されている。
この屋根パネル２０は、建て込み寸法誤差や施工寸法誤差を吸収するため、隣接する他の屋根パネル２０との接合部３０に隙間を設けて並設されている。
【００２３】
屋根パネル２０は、鋼材等を組み合わせた下地フレーム２１と、この下地フレーム２１上に取り付けられる野地板２２と、野地板２２上に貼られる改質アスファルト材からなる防水シート２３と、この防水シート２３上にその端縁を残して取り付けられる屋根材２４とで形成されている。
【００２４】
図２には、屋根３の隣接配置された各屋根パネル２０Ａ、２０Ｂ間の水勾配に沿った接合部３０が示されている。
屋根パネル接合部３０には、隣接する屋根パネル２０Ａ、２０Ｂの野地板２２Ａ、２２Ｂに跨って耐熱性のカバー材４１が取り付けられ、その上面には、一方の屋根パネル２０Ａの野地板２２Ａの上面に貼り付けられた防水シート２３Ａが、隣接する他方の屋根パネル２０Ｂ側に延出されて、他方の屋根パネル２０Ｂの野地板２２Ｂ上まで掛け渡されている。
また、他方の屋根パネル２０Ｂの野地板２２Ｂの上面に貼り付けられた防水シート２３Ｂは、前記一方の屋根パネル２０Ａ側に延出されて、一方の屋根パネル２０Ａ上の防水シート２３Ａまで掛け渡され、一方の防水シート２３Ａ上に重ね合わされて密着されている。
【００２５】
そして、防水シート２３Ａ、２３Ｂが重ね合わされた部分を除いた各屋根パネル２０Ａ、２０Ｂの防水シート２３Ａ、２３Ｂ上には屋根材２４Ａ、２４Ｂが予め貼られている。
ここで、一方の屋根パネル２０Ａ端部の野地板２２Ａの屋根材２４Ａが貼られていない露出部分の幅寸法Ｌ１と、他方の屋根パネル２０Ｂ端部の野地板２２Ｂの屋根材２４Ｂが貼られていない露出部分の幅寸法Ｌ２とは等しくされている。また、一方の防水シート２３Ａの屋根材２４Ａから延出された延出部分２３Ａ’の幅寸法と、他方の防水シート２３Ｂの屋根材２４Ｂから延出された延出部分２３Ｂ’の幅寸法とは等しくされている。
【００２６】
なお、カバー材４１は、一方の防水シート２３Ａの屋根材２４Ａから延出された延出部分２３Ａ’の下面に予め貼られている。
また、防水シート２３Ａ、２３Ｂの重ね合わせ部分の幅方向、つまり屋根パネル接合部３０に面する屋根パネル２０の端面に直交する方向（水勾配に直交する水平方向）の中心位置は、各屋根パネル２０Ａ、２０Ｂ端部の野地板２２Ａ、２２Ｂの屋根材２４Ａ、２４Ｂが貼られていない露出部分の幅寸法Ｌ１、Ｌ２が等しく、かつ、各防水シート２３Ａ、２３Ｂの屋根材２４Ａ、２４Ｂから延出された延出部分２３Ａ’、２３Ｂ’の幅寸法が等しいため、屋根パネル接合部３０の幅方向の中心位置に重なっている。
さらに、一方の防水シート２３Ａと他方の防水シート２３Ｂとの密着部分の幅寸法Ｌ３は、その密着面の防水性能を確保する寸法である約５０ｃｍ程度とされている。
【００２７】
このような本実施形態において、屋根パネル接合部３０は次のような手順で防水処理される。
まず、工場において、各下地フレーム２１Ａ、２１Ｂに野地板２２Ａ、２２Ｂを取り付けた後、粘着性を備えて剥離紙５０が貼られている防水シート２３Ａ、２３Ｂを剥離紙５０を剥がし、各野地板２２Ａ、２２Ｂ上に貼り付ける。
この際、一方の野地板２２Ａに載置した防水シート２３Ａには、その屋根材２４Ａから延出される延出部分２３Ａ’に耐熱性のカバー材４１を予め貼り付けておく。
また、他方の野地板２２Ｂに載置した防水シート２３Ｂの延出部分２３Ｂ’は、剥離紙５０をそのまま残して貼り付けておく。
次に、各野地板２２Ａ、２２Ｂ上に貼り付けた防水シート２３Ａ、２３Ｂの上面に、屋根材２４Ａ、２４Ｂを取り付けて屋根パネル２０Ａ、２０Ｂを組み立てる。
このように組み立てられた各屋根パネル２０Ａ、２０Ｂを現場に輸送する。
【００２８】
建築現場では、図３に示すように、各屋根パネル２０Ａ、２０Ｂを建物本体２の上部に順次設置する。
そして、図２に示すように、各屋根パネル２０Ａ、２０Ｂ間の水勾配に沿った接合部３０においては、一方の屋根パネル２０Ａの上面に貼り付けられた防水シート２３Ａの屋根材２４Ａから延出された延出部分２３Ａ’を、他方の屋根パネル２０Ｂの野地板２２Ｂ上に掛け渡し、その延出部分２３Ａ’の下面に貼り付けられている耐熱性のカバー材４１を、隣接する各屋根パネル２０Ａ、２０Ｂに跨るように設置する。
そして、他方の屋根パネル２０Ｂ上に貼り付けられた防水シート２３Ｂの屋根材２４Ｂから延出された延出部分２３Ｂ’を、剥離紙５０を剥がして一方の屋根パネル２０Ａ上に掛け渡し、一方の防水シート２３Ａ上に重ね合わせて密着させる。
この際、各防水シート２３Ａ、２３Ｂの延出部分２３Ａ’、２３Ｂ’の延出寸法が等しく、また、各屋根パネル２０Ａ、２０Ｂ端部の野地板２２Ａ、２２Ｂの屋根材２４Ａ、２４Ｂが貼られていない露出部分の幅寸法Ｌ１、Ｌ２が等しいため、各防水シート２３Ａ、２３Ｂの重ね合わせ部分における幅方向の中心位置は、屋根パネル接合部３０の幅方向の中心位置に重なることになる。
【００２９】
次に、その防水シート２３Ａ、２３Ｂの密着部分の上面に屋根材２４を取り付ける。このようにして、屋根３を形成する。
【００３０】
このような本実施形態によれば、次のような効果が得られる。
一方の防水シート２３Ａ上に他方の防水シート２３Ｂが直接重ね合わされて密着されているので、屋根パネル接合部３０における防水部材（防水シート２３）の密着部分を一箇所にすることができる。
【００３１】
ここで、防水部材の密着部分の幅寸法Ｌ３は、防水性能を確保するために、所定の幅寸法が必要であり、密着部分が一箇所であれば、従来の密着部分が二箇所設けられる場合に比べて密着部分の幅寸法Ｌ３を半分にできる。
具体的には、各密着部分の幅寸法Ｌ３は、その部分の防水性能を確保するために、約５０ｃｍ以上必要である。つまり、防水シート２３と防水テープとの密着部分の幅寸法が約１ｍ程度必要であった従来に比べて、密着部分を一箇所にすることによって、半分の約５０ｃｍにすることができる。
【００３２】
これにより、各防水シート２３Ａ、２３Ｂが重ね合わされた密着部分で従来と同様の防水性能が得られるとともに、屋根パネル接合部３０の防水部材の密着部分、つまり、防水シート２３が露出されて、屋根材２４を予め取り付けておくことができない部分の幅寸法Ｌ３を従来の約半分にすることができるので、工場で屋根材２４を屋根パネル２０に取り付ける際の屋根材２４の取り付け面積を増やすことができ、その分現場作業を軽減することができる。
【００３３】
さらに、防水シート２３Ａ、２３Ｂを直接重ね合わせているので、従来のような防水テープを用いる必要がない。このため、防水テープを別途輸送、設置する必要がなく、屋根パネル接合部３０での現場作業を軽減でき、作業効率を向上できる。
【００３４】
また、屋根パネル接合部３０には、一方の防水シート２３Ａと他方の防水シート２３Ｂとが重なって二重に配置されているので、例えば、従来の防水テープを屋根パネル接合部３０に掛け渡された場合に比べて、屋根パネル接合部３０の断熱性能を向上することができる。
【００３５】
さらに、防水シート２３Ａの下面に耐熱性のカバー材４１が貼られているので、防水シート２３Ａを屋根パネル接合部３０に貼り付けることによって、野地板２２Ａ、２２Ｂに跨って耐熱性のカバー材４１が貼り付けられ、防水シート２３Ａの垂れや落下を防止することができる。その上、カバー材４１は、防水シート２３Ａの延出部分２３Ａ’の下面に予め貼り付けられているので、現場でカバー材４１を別途貼り付ける必要がなく、その分現場作業を容易にすることができる。
【００３６】
また、防水シート２３として、粘着性を備えるとともに、剥離紙５０が貼られた改質アスファルト材を用いているので、防水シート２３Ａ、２３Ｂを野地板２２Ａ、２２Ｂ等に貼り付ける際に剥離紙５０を剥がすだけでよく、粘着材をシートに塗布しながら貼り付ける必要がないので防水シート２３の貼付作業を容易に行うことができる。
【００３７】
また、防水シート２３Ａ、２３Ｂの重ね合わせ部分の幅方向、つまり、屋根パネル接合部３０に面する屋根パネル２０の端面に直交する方向（水勾配に直交する水平方向）の中心位置が、前記屋根パネル接合部３０の中心位置に重なっているので、つまり、隣接する各屋根パネル２０Ａ、２０Ｂ端部の野地板２２Ａ、２２Ｂの屋根材２４Ａ、２４Ｂが貼られていない露出部分の幅寸法Ｌ１、Ｌ２を等しくしているので、各屋根パネル２０Ａ、２０Ｂを同じ構造で製造することができ、その製造作業を容易にすることができるとともに、屋根パネル２０Ａ、２０Ｂの設置時にその向き等を考慮する必要がないため、現場作業を容易にすることができる。
【００３８】
図４には、本発明の第２実施形態を適用した屋根パネル接合部３０の断面図が示されている。
なお、前記第１実施形態と同一もしくは相当構成部分には同一符号を付し、説明を省略もしくは簡略する。
本実施形態は、前記第１実施形態の屋根パネル接合部３０に設けられたカバー材４１を板材４２としたものである。
詳しくは、屋根パネル２０Ａ、２０Ｂ間の接合部３０に、鉄等の金属材からなる耐熱性の板材４２が設けられていることを特徴とする。
【００３９】
この板材４２は、Ｌ字形の形状とされ、隣接する屋根パネル２０Ａ、２０Ｂ間の一方の屋根パネル２０Ａの端部にボルトや釘等で取り付けられるとともに、他方の屋根パネル２０Ｂ側に向かって突出し、他方の屋根パネル２０Ｂの野地板２２Ｂ上に掛け渡されている。
【００４０】
この際、一方の屋根パネル２０Ａの防水シート２３Ａは、隣接する屋根パネル２０Ａ、２０Ｂの各野地板２２Ａ、２２Ｂ上面および板材４２の上面に密着されている。
【００４１】
このような本実施形態によれば、耐熱性の板材４２が屋根パネル接合部３０に配置されているので、防水シート２３の垂れや落下を防止できる等の前記第１実施形態と同様な効果が得られる。さらに、板材４２は、屋根パネル２０Ａにボルトや釘等で固定されているので、位置ずれを起こすことがなく、より確実に屋根パネル接合部３０に配置することができ、設置作業が容易にできる。
【００４２】
図５には、本発明の第３実施形態を適用した屋根パネル接合部３０の断面図が示されている。
なお、前記第１実施形態と同一もしくは相当構成部分には同一符号を付し、説明を省略もしくは簡略する。
本実施形態は、前記第１実施形態の屋根パネル接合部３０に設けられたカバー材４１を樹脂材４３としたものである。
詳しくは、屋根パネル２０Ａ、２０Ｂ間の接合部３０には、エチレンプロピレンゴム（ＥＰＤＭ）の発泡体からなる耐熱性の樹脂材４３が設けられている。
【００４３】
この樹脂材４３は、角柱状とされ、隣接する屋根パネル２０Ａ、２０Ｂ間に屋根パネル接合部３０の長手方向に沿って取り付けられている。
この際、一方の屋根パネル２０Ａの防水シート２３Ａは、隣接する屋根パネル２０Ａ、２０Ｂの各野地板２２Ａ、２２Ｂ上面および樹脂材４３の上面に密着されている。
【００４４】
このような本実施形態によれば、耐熱性の樹脂材４３が屋根パネル接合部３０に配置されているので、防水シート２３の垂れや落下を防止できる等の前記第１実施形態と同様な効果が得られる。さらに、樹脂材４３は、発泡体からなるとともに、隣接する屋根パネル２０Ａ、２０Ｂに密接して取り付けられているので、断熱性能や防音性能も向上することができる。
【００４５】
なお、本発明は前記実施形態に限定されるものではなく、本発明の目的を達成できる他の構成等を含み、以下に示すような変形等も本発明に含まれる。
例えば、防水シート２３Ａの延出部分２３Ａ’にカバー材４１を貼らずに、防水シート２３Ｂの延出部分２３Ｂ’と同様に、剥離紙５０を貼っておき、この剥離紙５０を剥がさずに、防水シート２３Ａを他方の屋根パネル２０Ｂの野地板２２Ｂ上に密着させることにより、剥離紙５０を屋根パネル接合部３０に配置して、防水シート２３Ａ、２３Ｂの垂れや落下を防止するものとして利用してもよい。
【００４６】
また、前記第１実施形態では、カバー材４１は、一方の防水シート２３Ａの延出部分２３Ａ’に予め貼られていたが、防水シート２３Ａに貼っておかず、現場で屋根パネル２０Ａ、２０Ｂを設置した際に、隣接する屋根パネル２０Ａ、２０Ｂに跨って貼り付けてもよい。
【００４７】
さらに、前記第２実施形態では、Ｌ字形の板材４２を用いたが、例えば、断面コ字形の板材４２でもよいし、平面状の板材４２でもよい。
【００４８】
さらに、前記第２実施形態では、板材４２は、一方の屋根パネル２０Ａの端部に取り付けられていたが、例えば、他方の屋根パネル２０Ｂの端部でもよいし、隣接する各屋根パネル２０Ａ、２０Ｂの端部にそれぞれ取り付けてもよい。
さらに、前記第２実施形態では、耐熱性の板材４２は、隣接する屋根パネル２０Ｂの野地板２２Ｂ上面まで掛け渡されて、屋根パネル接合部３０を完全に塞いでいたが、例えば、隣接する屋根パネル２０Ｂの端面まで突出されることで、屋根パネル接合部３０を完全に塞いでもよいし、屋根パネル２０Ｂの端面近くまで突出して屋根パネル接合部３０を完全に塞がないように設けられていてもよい。
【００４９】
また、樹脂材４３としては、エチレンプロピレンゴム（ＥＰＤＭ）の発泡体からなるものに限らず、耐熱性の各種樹脂材を用いることができる。
【００５０】
要するに、屋根パネル接合部３０において、一方の防水シート２３Ａの下側に配置されるものとしては、カバー材４１、板材４２および樹脂材４３に限らず、防水シート２３Ａ、２３Ｂの垂れや落下を防止できるもの（垂れ防止部材）であればよく、その形状、材質、構造等は実施状態に応じて適宜選択すればよい。
さらに、屋根パネル接合部３０の隙間が狭く、防水シート２３の垂れや落下のおそれがない場合等にはカバー材４１や支持部材４２、４３を設けなくてもよい。一方で、板材４２、樹脂材４３とカバー材４１、剥離紙５０とを両方設けてもよい。
【００５１】
さらに、前記実施形態では、防水シート２３は改質アスファルト材で構成されていたが、材質としてはこれに限らない。この際、ゴムシートのように粘着性を有さない防水シート２３を用いた場合には、その防水シート２３を貼り付ける場合には、粘着材を塗布しながら貼り付ければよい。但し、改質アスファルト材からなる防水シート２３のように、粘着性を備えるシート材には通常、剥離紙５０が貼られているので、防水シート２３を貼り付ける場合には、剥離紙５０を剥がせばよく、容易に防水シート２３の貼付作業を行うことができる点で好ましい。
【００５２】
また、前記実施形態では、防水シート２３Ａ、２３Ｂの重ね合わせ部分の幅方向、つまり、屋根パネル接合部３０に面する屋根パネル２０の端面に直交する方向（水勾配に直交する水平方向）の中心位置と、屋根パネル接合部３０の幅方向の中心位置とは重なっていたが、野地板２２Ａ、２２Ｂの屋根材２４Ａ、２４Ｂが貼られていない露出幅寸法Ｌ１、Ｌ２を異ならせることで、重ね合わせ部分の幅方向の中心位置が接合部３０の幅方向の中心位置とずれていてもよい。
但し、各屋根パネル２０Ａ、２０Ｂ端部の野地板２２Ａ、２２Ｂの露出部分の幅寸法Ｌ１、Ｌ２を等しくすれば、各屋根パネル２０Ａ、２０Ｂを同じ構造で製造することができ、その製造作業を容易にすることができるとともに、屋根パネル２０Ａ、２０Ｂの設置時にその向き等を考慮する必要がないため、現場作業を容易にすることができる点で好ましい。
【００５３】
さらに、本発明は、各屋根パネル２０Ａ、２０Ｂ間の水勾配に沿った接合部３０に限らず、水勾配に直交する水平方向に沿った屋根パネル接合部３０にも適用することができる。
【００５４】
【発明の効果】
以上に述べたように、本発明の屋根パネル接合部の防水構造およびその防水方法によれば、屋根パネル接合部の防水部材の密着部分における幅寸法を従来の約半分にすることができるので、工場で屋根材を屋根パネルに取り付ける際の屋根材の取り付け面積を増やすことができ、その分現場作業を軽減することができるとともに、防水テープを用いる必要がないので、防水テープを別途輸送、設置する必要がなく、屋根パネル接合部での現場作業をさらに軽減でき、作業効率を向上できる。
【図面の簡単な説明】
【図１】本発明の第１実施形態における建物の屋根構造を示す斜視図である。
【図２】本発明の第１実施形態における屋根パネル接合部の防水構造を示す断面図である。
【図３】本発明の第１実施形態における屋根パネル接合部の防水方法を示す断面図である。
【図４】本発明の第２実施形態における屋根パネル接合部の防水構造を示す断面図である。
【図５】本発明の第３実施形態における屋根パネル接合部の防水構造を示す断面図である。
【符号の説明】
１  ユニット式建物
２０、２０Ａ、２０Ｂ  屋根パネル
２１、２１Ａ、２１Ｂ  下地フレーム
２２、２２Ａ、２２Ｂ  野地板
２３、２３Ａ、２３Ｂ  防水シート
２４、２４Ａ、２４Ｂ  屋根材
３０  屋根パネル接合部
４１  耐熱性のカバー材
４２  耐熱性の板材
４３  耐熱性の樹脂材
２３Ａ’、２３Ｂ’  延出部分
Ｌ１、Ｌ２  露出部分の幅寸法
Ｌ３  密着部分の幅寸法
【図１】
0003924340.tif 000002
【図２】
0003924340.tif 000003
【図３】
0003924340.tif 000004
【図４】
0003924340.tif 000005
【図５】
0003924340.tif 000006